(57)【特許請求の範囲】
【請求項１】
透明な材料から成り裏面に文字や記号や図形を印刷した操作キーと、前記操作キーを内部より嵌合させる開口部が形成されたケースと、前記操作キーの押し下げに連動する接点式の電気スイッチ及び前記操作キーを照明するための発光素子が具備されたスイッチ基板と、前記ケースとスイッチ基板との間に介在され、前記操作キーを前記ケース側に付勢するとともに該操作キーの押し下げを前記電気スイッチに伝え、さらに前記発光素子の照明光を操作キーに導く導光板でもあるラバーシートとが具備された操作キー照明構造において、前記操作キーと前記ラバーシートとの間である、該操作キーの下面全体に透過性シートをさらに備え、前記スイッチ基板は前記操作キーの少なくとも上下端部の各端部下の位置にそれぞれ電気スイッチを、ほぼ中央部下の位置に前記発光素子を具備し、前記ラバーシートには前記発光素子の点灯時に点光源が見える範囲を隠蔽する印刷を施し、前記透過性シートと前記点光源が見える範囲を隠蔽する印刷とは同系色であることを特徴とする操作キー照明構造。
【発明の詳細な説明】
【０００１】
【発明の属する技術分野】
本発明は操作キーを背面側より照明する操作キー照明構造に関する。
【０００２】
【従来の技術】
従来より操作キーを背面側より照明する構造は、複数の操作キーの間に発光素子（ＬＥＤ）を配置しラバーシートと呼ばれる導光板で周囲の操作キーに光を導くものであった。ラバーシートは導光板としての機能だけでなく操作キーをケース側に付勢するとともに操作キーの押し下げを操作キー下のスイッチに伝える役目も有している。
【０００３】
【発明が解決しようとする課題】
しかしながら、最近の携帯電話機等の携帯機器では表示画面をスクロールさせるためのスクロールキーが設けられている。スクロールキーは、キーの上端部及び下端部をそれぞれ押すという操作を行うために携帯機器の備える操作キーの中にあっては寸法が大きいため、従来のように複数の操作キーの間に配置した発光素子による照明では均一に照明することは難しかった。
【０００４】
【課題を解決するための手段】
上記従来技術の課題を解決するために本発明は、透明な材料から成り裏面に文字や記号や図形を印刷した操作キーと、前記操作キーを内部より嵌合させる開口部が形成されたケースと、前記操作キーの押し下げに連動する接点式の電気スイッチ及び前記操作キーを照明するための発光素子が具備されたスイッチ基板と、前記ケースとスイッチ基板との間に介在され、前記操作キーを前記ケース側に付勢するとともに該操作キーの押し下げを前記電気スイッチに伝え、さらに前記発光素子の照明光を操作キーに導く導光板でもあるラバーシートとが具備された操作キー照明構造において、前記操作キーと前記ラバーシートとの間である、該操作キーの下面全体に透過性シートをさらに備え、前記スイッチ基板は前記操作キーの少なくとも上下端部の各端部下の位置にそれぞれ電気スイッチを、ほぼ中央部下の位置に前記発光素子を具備し、前記ラバーシートには前記発光素子の点灯時に点光源が見える範囲を隠蔽する印刷を施し、前記透過性シートと前記点光源が見える範囲を隠蔽する印刷とは同系色であることを特徴とする操作キー照明構造である。
【０００５】
【発明の実施の形態】
図１及び図２は本発明の一実施形態を示す図である。図１は本発明の一実施形態で、携帯電話機の照明装置を説明する分解図、図２は本発明の一実施形態で、携帯電話機の照明装置を説明する要部の断面図である。図１及び図２において同一部位には同一符号を用いている。
【０００６】
図において１１は機器のケース、１１−１は液晶表示部用孔、１１−２はキー操作部、１２は裏面に文字や記号や図形を印刷し上から該文字や記号や図形が透けて見えるように透明の樹脂材料で作られた操作キー、１３は光を透過しやすい乳白色の樹脂製シート、１４は導光板である透明または乳白色のキー一体型のラバーシート、１５はスイッチ基板、１６は発光素子（ＬＥＤ）、１７ａは上スクロール用でメタルドーム式等の接点式の電気スイッチ、１７ｂは下スクロール用で同方式の電気スイッチ、１８はラバーシート１３に施した白色の印刷部である。また１４ａ及び１４ｂはラバーシートにおける接面で、操作キー１２をケース１１側に付勢し密着させる。
【０００７】
図２のようにスイッチ基板１５は操作キー１２の上端側の下には電気スイッチ１７ａが配置され、操作キー１２上端を押し下げるとラバーシート１４は接面１４ａの部分から下が押し下げられ電気スイッチ１７ａがオンされ、押し下げが解除されると電気スイッチ１７ａがオフされる。同様に操作キー１２の下端側の下には電気スイッチ１７ｂが配置され、接面１４ｂの部分から下が押し下げられ電気スイッチ１７ｂがオンされ、押し下げが解除されると電気スイッチ１７ｂがオフされるようになっている。また操作キー１２の略中央部の下に発光素子１６が配置されており大きな操作キー１２全面を中央部から照明するので、従来のもののように照明ムラを起こすことがないし、複数の発光素子を用いる無駄もない。また、ラバーシート１４には発光素子１６を真上から多い隠す白色の印刷部１８が施してあり、発光素子１６が点灯したときに中央部が点光源となって見えてしまう範囲を印刷して点光源が見えないようにしている。点光源が見えないので美観を損なうことがない。また、シート１３で透明な操作キー１２の下面全体を覆っているので接面１４ａ及び１４ｂが隠れるなど、内部が透けて見えることがなく美観を損なうことがない。シート１３と印刷部１８とは同色もしくは同系統の色であることが好ましい。また、シート１３が乳白色であるため操作キー１２の下面に印刷した文字や記号や図形の色とのコントラストを出し易く、結果、印刷文字や記号や図形が見易い。なお、シート１３は予め操作キー１２に光透過性の粘着材で固定すれば機器の組立てが容易になる。
【０００８】
【発明の効果】
以上のように本発明によれば、透明な材料から成り裏面に文字や記号や図形を印刷した操作キーと、前記操作キーを内部より嵌合させる開口部が形成されたケースと、前記操作キーの押し下げに連動する接点式の電気スイッチ及び前記操作キーを照明するための発光素子が具備されたスイッチ基板と、前記ケースとスイッチ基板との間に介在され、前記操作キーを前記ケース側に付勢するとともに該操作キーの押し下げを前記電気スイッチに伝え、さらに前記発光素子の照明光を操作キーに導く導光板でもある半透明で乳白色のラバーシートとが具備された操作キー照明構造において、前記スイッチ基板は前記操作キーの少なくとも上下端部の各端部下の位置にそれぞれ電気スイッチを、ほぼ中央部下の位置に前記発光素子を具備し、前記ラバーシートには前記発光素子の点灯時に点光源が見える範囲を隠蔽する印刷を施したことを特徴とする操作キー照明構造であるので、簡単な構造でありながら１個の操作キーで複数個の電気スイッチをオンオフでき、１個の発光素子で大きな操作キー全体を中心部からほぼ均一に照明することができ、しかも発光素子が点灯したときに中央部が点光源に見えなく出来るので美観を損なうことがない。
【図面の簡単な説明】
【図１】本発明の一実施形態で、携帯電話機の照明装置を説明する分解図。
【図２】本発明の一実施形態で、携帯電話機の照明装置を説明する要部の断面図。
【符号の説明】
１１：ケース   １１−１：液晶表示部用孔   １１−２：キー操作部
１２：操作キー   １３：乳白色の樹脂製シート   １４：ラバーシート（導光板）
１５：スイッチ基板   １６：発光素子
１７ａ：上スクロール用電気スイッチ、１７ｂ：下スクロール用電気スイッチ
１８：白色の印刷部
【図１】
0004242980.tif 000002
【図２】
0004242980.tif 000003